(57)【要約】【課題】障子を閉めただけで自動的に施錠され優れた防犯性を有することに加えて、比較的構造が簡単で安価な補助錠を有する開口部装置を提供する。【解決手段】開口部装置のサブロック３０は、障子が閉まることを検知する当接部４１と、ストッパ３５とケース３１の双方に係合する爪部４２ａ、４２ａとを有するコマ部材４０がストッパ３５内に設けられている。サブロック３０には、さらにストッパ３５内に爪部４２ａのケース３１に対する係合を外すための凸部３６ｂ、３６ｂが設けられている。そして、当接部４１が内障子８によって押されると、当接部４１と一体である爪部４２ａ、４２ａが共に移動し、凸部３６ｂ、３６ｂによって爪部４２ａ、４２ａのケース３１に対する係合が外される。これにより、ストッパ３５は、コイルバネ５０の付勢力により突出し施錠状態となる。【選択図】図２
2009074319.tif 000002
【特許請求の範囲】
【請求項１】
開口部に枠体が設けられ、当該枠体に設けられた障子が当該枠体内を摺動することによって前記開口部を開閉する構造を有し、ケースと、前記ケースに出没可能に収容されるストッパと、前記ストッパを前記ケースから突出状態に駆動する駆動手段と、前記ストッパを前記ケースに収容された状態に保持する収容保持手段とを有し、前記ストッパが前記障子の摺動を阻止するように前記ケースから突出することで施錠状態となる補助錠が設けられている開口部装置であって、
前記補助錠には、前記障子により前記開口部が閉まることを検知する検知手段と、
前記検知手段によって前記開口部が閉まることが検知されると、前記収容保持手段によるストッパの保持を解除する解除手段が設けられ、
前記駆動手段は、前記解除手段によって前記収容保持手段によるストッパの保持が解除されると、前記ストッパを突出状態に駆動することを特徴とする開口部装置。
【請求項２】
前記補助錠は、前記障子もしくは前記枠体に対して移動しない固定部材に設けられるとともに、前記開口部を少しでも開いた場合に前記障子と障子、もしくは前記障子と前記固定部材とが互いに重なる位置で、かつ、前記開口部を閉じた場合に前記障子と障子、もしくは前記障子と前記固定部材とが重ならない位置に配置され、
前記検知手段は、前記障子が前記開口部を開いた状態から閉じた状態に移動する際に、前記補助錠の位置に重なる前記障子もしくは前記固定部材に接触して相対的に前記開口部を閉じる方向に押された後に、前記開口部が閉じて前記障子もしくは前記固定部材と接触しない状態となることで前記障子が閉まることを検知し、
前記収容保持手段は、前記検知手段と一体に形成されるとともに、前記ストッパを前記ケースに収容した状態に保持する保持位置と、前記ストッパを前記ケースから突出させる解除位置との間で移動自在とされ、かつ、前記検知手段が前記開口部を閉じる方向に押されると保持位置から解除位置に移動し、
前記解除手段は、前記収容保持手段が前記解除位置に移動すると、前記収容保持手段による前記ストッパの保持を解除することを特徴とする請求項１に記載の開口部装置。
【請求項３】
前記補助錠は、前記ケースに対して着脱自在であって、かつ、前記ケースに取り付けた際に前記ストッパの突出を防止し施錠状態となることを阻止する施錠阻止手段を備えていることを特徴とする請求項１または請求項２に記載の開口部装置。
【発明の詳細な説明】
【技術分野】
【０００１】
本発明は、引き違いサッシ、片引きサッシ、両引きサッシ等のように、枠体内に設けられた障子が摺動することによって開閉する開口部装置に関する。
【背景技術】
【０００２】
従来、引き違いサッシなどには、例えば、クレセント錠のような施錠装置が設けられている。このクレセント錠は、内障子の召合せ框に錠本体を取り付けるとともに、外障子の召合せ框に錠受けを取り付け、錠本体を回動して錠受けに係合して施錠するものである。
しかしながら、このクレセント錠は、障子の一部を破って手を差し込み、簡単に解錠することが可能であるという問題がある。
そこで、クレセント錠が解錠されたとしても障子を開けることができないように、各種補助錠が提案されている。図１５に従来の補助錠の一例であるサブロック１００を示した。このサブロック１００は、引き違いサッシの外障子の上框または下框の召合せ框近くに設けられるもので、ケース１０１と、このケース１０１内に出没可能であるように設けられているストッパ１０２とを備えている。そして、ストッパ１０２の一端部１０２ａを押すと他端部１０２ｂが突出し、施錠状態となり、他端部１０２ｂを押すと、ストッパ１０２はケース１０１内に収容され、解錠状態に戻るように構成されている。
図１５と同様のサブロックについて、特許文献１および特許文献２に開示されている。
【０００３】
【特許文献１】特開２００２−４６７０号公報
【特許文献２】特開２００４−３６０３１３号公報
【発明の開示】
【発明が解決しようとする課題】
【０００４】
しかしながら、上記のような従来の補助錠は、障子を閉めた後、さらに手動で施錠しなければならないことから、施錠を忘れたり、面倒なため施錠しない可能性があり、防犯上好ましくない。
また、枠と障子間の両方に部材を取り付け、自動施錠可能なタイプの補助錠も知られているが、構造が複雑でコストが高い。
【０００５】
本発明は、前記事情に鑑みて為されたもので、障子を閉めただけで自動的に施錠され、優れた防犯性を有し、加えて比較的構造が簡単で安価な補助錠を有する開口部装置を提供することを目的とする。
【課題を解決するための手段】
【０００６】
前記目的を達成するために、本発明の請求項１に記載の開口部装置は、開口部に枠体が設けられ、当該枠体に設けられた障子が当該枠体内を摺動することによって前記開口部を開閉する構造を有し、ケースと、前記ケースに出没可能に収容されるストッパと、前記ストッパを前記ケースから突出状態に駆動する駆動手段と、前記ストッパを前記ケースに収容された状態に保持する収容保持手段とを有し、前記ストッパが前記障子の摺動を阻止するように前記ケースから突出することで施錠状態となる補助錠が設けられている開口部装置であって、
前記補助錠には、前記障子により前記開口部が閉まることを検知する検知手段と、
前記検知手段によって前記開口部が閉まることが検知されると、前記収容保持手段によるストッパの保持を解除する解除手段が設けられ、
前記駆動手段は、前記解除手段によって前記収容保持手段によるストッパの保持が解除されると、前記ストッパを突出状態に駆動することを特徴とする。
【０００７】
請求項１に記載の開口部装置によれば、駆動手段によって駆動されてストッパがケースから突出することで施錠状態となる補助錠には、ストッパをケースに収容された状態に保持する収容保持手段と、障子が閉まることを検知する検知手段と、検知手段によって障子が閉まることが検知されると収容保持手段による保持を解除する解除手段が設けられ、駆動手段は、解除手段によって収容保持手段によるストッパの保持が解除されるとストッパを突出状態に駆動するので、検知手段によって障子が閉まることが検知されると、解除手段によって収容保持手段によるストッパの保持が解除され、ストッパは駆動手段の駆動力によって突出し施錠状態となる。したがって、障子を閉めただけで自動的に施錠され、優れた防犯性を有する。
また、補助錠だけを設置すればよく、枠体と障子の双方に部材を設置しなければならない自動施錠装置などに比較すれば、簡単に構成することが可能であり、自動施錠でありながら安価な補助錠を有する開口部装置となる。
【０００８】
検知手段としては、障子と接触することで動作して検知する機械的な検知手段でもよいし、接触または非接触による電気的・光学的なセンサであってもよい。
駆動手段としては、各種バネや、金属や樹脂などからなる弾性体などの他に、電動で作動する各種駆動手段が挙げられる。
収容保持手段としては、ストッパをケース内にとどめることができるものであればよく、例えば、ストッパおよびケースの一方または双方に設けられ、ストッパをケースに係合させるものである。また、ストッパやケースとは別の部材であって、ストッパとケースの両方に係合するものでもよい。
解除手段としては、単独の部材からなるものでもよいし、ケースやストッパに設けられていてもよい。また、検知手段が機械的検知手段であれば、検知手段の検知動作が機械的に伝えられることで解除動作を行うように構成されていてもよいし、機械的・電気的検知手段のいずれでも電気的な検知信号を受けたならば、電動で解除動作を行うように構成されていてもよい。さらに、検知を受けて、収容保持手段が、解除手段に接触したり係合したりすることで、保持を解除させるように構成してもよい。
【０００９】
また、請求項２に記載の開口部装置は、  前記補助錠は、前記障子もしくは前記枠体に対して移動しない固定部材に設けられるとともに、前記開口部を少しでも開いた場合に前記障子と障子、もしくは前記障子と前記固定部材とが互いに重なる位置で、かつ、前記開口部を閉じた場合に前記障子と障子、もしくは前記障子と前記固定部材とが重ならない位置に配置され、
前記検知手段は、前記障子が前記開口部を開いた状態から閉じた状態に移動する際に、前記補助錠の位置に重なる前記障子もしくは前記固定部材に接触して相対的に前記開口部を閉じる方向に押された後に、前記開口部が閉じて前記障子もしくは前記固定部材と接触しない状態となることで前記障子が閉まることを検知し、
前記収容保持手段は、前記検知手段と一体に形成されるとともに、前記ストッパを前記ケースに収容した状態に保持する保持位置と、前記ストッパを前記ケースから突出させる解除位置との間で移動自在とされ、かつ、前記検知手段が前記開口部を閉じる方向に押されると保持位置から解除位置に移動し、
前記解除手段は、前記収容保持手段が前記解除位置に移動すると、前記収容保持手段による前記ストッパの保持を解除することを特徴とする。
【００１０】
請求項２に記載の開口部装置によれば、検知手段は例えば障子により開口部を閉じる方向に押されることで前記障子が閉まることを検知し、収容保持手段は、検知手段と一体に形成され、検知手段が開口部を閉じる方向に押されると解除位置に移動し、そこで解除手段によってストッパの保持が解除されるので、検知手段と収容保持手段が一体で、検知手段の検知時の動作により収容保持手段も移動し、解除手段により保持が解除され、施錠状態となる。すなわち、障子の閉まるときの力を利用して、検知動作と解除動作の両方を行わせ、施錠状態になる。したがって、簡単な構造で自動施錠できる安価な補助錠を有する開口部装置となる。
【００１１】
なお、開口部装置としての引き違いサッシでは、開口部を開けた際に障子と障子が互いに重なり、開口部を閉じた際に障子の召合せ框（一方の縦框）を除いて互いに重ならない状態となる。
また、片引きサッシや両引きサッシでは、例えば、開口部を開けた際に枠体に固定されたガラス枠等の固定部材と障子とが重なり、開口部を閉じた際に障子の一方の縦框を除いて互いに重ならない状態となる。したがって、補助錠は、例えば、障子を閉じた際に他の障子もしくは前記固定部材と重なる一方の縦框の近傍に設けられる（縦框に重ならない部分があれば、縦框の重ならない部分に設けてもよい）。また、補助錠を前記固定部材に設けた場合には、開口部を締めた状態で障子の一方の縦框の近傍に補助錠を配置する。
【００１２】
また、請求項３に記載の開口部装置は、請求項１または請求項２に記載の開口部装置において、前記補助錠は、前記ケースに対して着脱自在であって、かつ、前記ケースに取り付けた際に前記ストッパの突出を防止し施錠状態となることを阻止する施錠阻止手段を備えていることを特徴とする。
【００１３】
請求項３に記載の開口部装置によれば、補助錠は、ケースに着脱自在で、ストッパの突出を防止する施錠阻止手段を備えているので、居住者が施錠状態にしたくないとき、例えば開口部装置を開けてベランダや外に出たときなどに、施錠阻止手段をケースに取り付けるだけで不用意に施錠されることなどを防ぐことができる。
【発明の効果】
【００１４】
請求項１に記載の開口部装置によれば、検知手段によって障子が閉まることが検知されると、解除手段によって収容保持手段によるストッパの保持が解除され、ストッパは駆動手段によって突出し施錠状態となるので、障子を閉めただけで自動的に施錠することができ、優れた防犯性を有する。
また、補助錠だけを設置すればよく、枠体と障子の双方に部材を設置しなければならない自動施錠装置などに比較すれば、比較的簡単に構成することが可能であり、自動施錠であっても安価な補助錠を有する開口部装置となる。
【００１５】
請求項２に記載の開口部装置によれば、検知手段と収容保持手段が一体で、障子を閉じた際の検知手段の検知時の動作により収容保持手段も保持位置から解除位置に移動し、そこで解除手段によりストッパの保持が解除されるので、障子が閉まるときの力を利用して、検知動作と解除動作の両方を行わせ、施錠状態にできる。したがって、簡単な構造で自動施錠できる安価な補助錠を有する開口部装置となる。
【００１６】
請求項３に記載の開口部装置によれば、補助錠は、ケースに着脱自在で、ストッパの突出を防止する施錠阻止手段を備えているので、居住者が施錠状態にしたくないとき、施錠阻止手段をケースに取り付けるだけで施錠されることを防ぐことができる。
【発明を実施するための最良の形態】
【００１７】
以下、図面を参照して本発明の実施の形態について説明する。
図１は本実施の形態の引き違いサッシ（開口部装置）を室内側から見た正面図である。
この２枚建ての引き違いサッシは、上枠１、下枠２および左右の縦枠３、４からなる枠体５と、この枠体５に水平移動自在に設けられた外障子（障子）７および内障子（障子）８とを備えている。外障子７は、中空の上框１１、下框１２、戸先框１３および召合せ框１４により方形の框組体１５が組み立てられ、この框組体１５に複層ガラス１６が組み込まれて構成されている。また、内障子８は、中空の上框２１、下框２２、戸先框２３および召合せ框２４により方形の框組体２５が組み立てられ、この框組体２５に複層ガラス１６が組み込まれて構成される。
上枠１、下枠２および左右の縦枠３、４、上框１１、下框１２、戸先框１３および召合せ框１４、ならびに上框２１、下框２２、戸先框２３および召合せ框２４は、例えば、アルミニウム合金製の押出形材からなる。
この引き違いサッシの中央には、外障子７の召合せ框１４に取り付けられた錠受けと、内障子８の召合せ框２４に取り付けられた錠本体とから構成され、錠本体を回動させて錠受けに係合することで施錠するクレセント錠１８が設けられている。
【００１８】
この引き違いサッシには、クレセント錠１８に加えて、外障子７の下框１２にサブロック（補助錠）３０が設けられている。以下、サブロック３０の詳細について図２〜図１４を参照しながら説明する。図２は、サブロック３０の斜視図で、（ａ）は解除状態、（ｂ）は施錠状態を示す。このサブロック３０は外観上横長の矩形状に形成され、下框１２に取り付けられるケース３１と、このケース３１内に収納されているストッパ３５およびコマ部材４０を備えている。以下の説明における上下、前後、左右は、図２で示した上下方向、前後方向、左右方向である。
【００１９】
ケース３１は、図３（ａ）に示すように、ケース枠３２とケース本体３３から構成される。
ケース枠３２は、薄く形成された枠体で、矩形状の長穴３２ａを有している。この長穴３２ａに対して、ストッパ３５が出没自在にはめ込まれるようになっている。
ケース本体３３はケース枠３２の裏面側に固定されるもので、略直方体状の箱である箱体３３ａとコ字状に形成されているコ字枠３３ｂとから構成される。
箱体３３ａは、ストッパ３５の左部３５ｈが収められるもので、底を有する。この底に、図５〜図１４に示すように、ストッパ３５を付勢するためのコイルバネ（駆動手段）５０が取り付けられている。
箱体３３ａ内の左側壁部には、ストッパ３５の左端面の角部３５ｆが係止できるように、段になっている係止部３３ｆが形成されている（図５（ａ）などを参照）。さらに、その前には、後述のロック阻止部材４５を差し込むための差込口３３ｇが設けられている（図５（ａ）などを参照）。
また、箱体３３ａの上下壁部にはそれぞれ、丸穴３３ｃ、３３ｃが設けられている。これら丸穴３３ｃ、３３ｃにストッパ３５の軸３５ｄ、３５ｄが回動可能に嵌め込まれるようになっている。
この箱体３３ａのケース枠３２よりの右端部には、箱体３３ａ側を開口とするコ字状に形成されたコ字枠３３ｂが、箱体３３ａと一体に設けられている。このコ字枠３３ｂはケース枠３２の右半分と重なっていることから、ケース３１の右半分は底がない状態になっている。
このコ字枠３３ｂの上下壁部には、コマ部材４０の爪部４２ａ、４２ａが係合する横長の長方形状のケース係合穴３３ｄ、３３ｄが設けられている。
なお、ケース本体３３には、ケース３１を下框１２の取付穴に取り付ける際に、取付穴の上下の周縁部に形成された図示しない上下三つずつの係合片をケース枠３２との間に挟みこんで、ケース３１を下框１２に固定するための取付板３４ａ、３４ｂ、３４ｃが設けられている。
【００２０】
ストッパ３５は、図３（ｂ）および図３（ｃ）に示すように、正面から見ると矩形状に形成され、前後方向に厚みのある左部３５ｈとより薄い右部３５ｉとからなる。ストッパ３５は、ケース３１に、ケース枠３２の長穴３２ａからストッパ３５の前面３５ａが突出しないように収容される。
ストッパ３５の上下壁部にはそれぞれ、外方に突出するように、軸３５ｄが設けられている。これら軸３５ｄ、３５ｄはそれぞれ、前記箱体３３ａの丸穴３３ｃ、３３ｃに嵌め込まれ、これによりストッパ３５は、軸３５ｄ、３５ｄを中心にケース３１に対して回動可能になっている。
加えて、ストッパ３５の左部３５ｈの後面には、前方に向かうように、箱体３３ａの底に取り付けられているコイルバネ５０を収納するためのバネ孔３５ｇが設けられている（図５（ａ）など参照）。ストッパ３５は、バネ孔３５ｇに収納されたコイルバネ５０によって、軸３５ｄ、３５ｄを中心に、上から見て時計方向に回動するように付勢されるようになっている。そして、この回動により右端面３５ｅが突出すると、内障子８の開閉経路に侵入し、開口部装置の開放を阻止するようになっている。
ストッパ３５の左端の後部には、ケース３１の箱体３３ａ内部の係止部３３ｆに係止される角部３５ｆが形成され、ストッパ３５の時計方向の回動は角部３５ｆが係止部３３ｆに係止されて止められるようになっている。
なお、前面３５ａの中央部分には、ローレット切りなどによりぎざぎざが形成され、手で触った際に滑らない操作面３５ｃになっている。
【００２１】
ストッパ３５の右部３５ｉの後ろ側には、図４（ａ）に示すように、コマ部材４０を収納するための収納部３６が設けられている。収納部３６の上下壁部にはそれぞれ、コマ部材４０の爪部４２ａ、４２ａが係合するストッパ係合穴３６ａ、３６ａが、細長い長方形状に形成されている。このストッパ係合穴３６ａ、３６ａは、ストッパ３５がケース３１に収容されるとき、ケース３１のケース係合穴３３ｄ、３３ｄと重なる位置に設けられる。
また、収納部３６の内壁には、凸部（解除手段）３６ｂ、３６ｂが対向するように設けられている。さらに、ストッパ３５の前面３５ａには、ストッパ３５の長さ方向に細長く、収納部３６にまで貫通した状態で細穴３５ｂが設けられ、この細穴３５ｂにコマ部材の当接部４１が挿入されるようになっている。
加えて、収納部３６の右側の壁部には、コマ部材４０を左方向に付勢するためのコイルバネ５１の一端部が取り付けられている。
【００２２】
コマ部材４０は、薄型の略直方体形に形成された支持体４０ａと、内障子８に当接される当接部４１と、前記支持体４０ａの上下両側部から伸びている脚部４２、４２とから構成される。
支持体４０ａの右面には、前記コイルバネ５１が嵌入されるバネ孔４０ｂが設けられている。コマ部材４０は、コイルバネ５１により左方に付勢されるようになっている。
当接部（検知手段）４１は、上下方向から見ると三角形の板状に形成され、三角形の頂点を前方に向け、かつ、底辺を支持体４０ａの左右方向に合わせて、支持体４０ａの中央に設けられている。この当接部４１はストッパ３５の細穴３５ｂから突出して、頂点を挟んで形成される右側部４１ａ、左側部４１ｂに開閉動作を行う内障子８が当接可能になっている。
【００２３】
また、２つの脚部４２は、上下に薄い棒状に形成され、前後に撓んで弾性変形可能となっている。各脚部４２の支持体４０ａとの接続部分には、内側にやや凹んでいる凹部４２ｃが形成されている。これら２つの凹部４２ｃに、ストッパ３５の収納部３６の２つの凸部３６ｂが入り込むようになっている。
脚部４２、４２それぞれには、上下方向の外側に向かって、爪部（収容保持手段）４２ａが設けられ、各爪部４２ａは先端に向かって薄くなるように後ろ側に傾斜面４２ｂを有する。爪部４２ａ、４２ａはそれぞれ、前記ストッパ係合穴３６ａ、３６ａ、およびケース係合穴３３ｄ、３３ｄに係合可能である。
【００２４】
コマ部材４０は、ストッパ３５の収納部３６に対して、図３（ｄ）および図４（ａ）に示すように、バネ孔４０ｂにコイルバネ５１を嵌入させ、脚部４２、４２の凹部４２ｃ、４２ｃを凸部３６ｂ、３６ｂに合わせ、爪部４２ａ、４２ａをストッパ係合穴３６ａ、３６ａに係合させ、当接部４１を、その頂点が前面３５ａから出るように細穴３５ｂに挿入させて、収納される。このとき、コマ部材４０はコイルバネ５１によって左方に付勢されている。
なお、ストッパ３５の収納部３６はコマ部材４０よりも、左右方向にわずかに長く形成されているので、その分だけコマ部材４０はストッパ３５に対して左右方向に移動できるようになっている。これに合わせてストッパ３５の細穴３５ｂも、コマ部材４０の当接部４１よりも左右方向において少し長く形成されている。
一方、前後方向については、コマ部材４０はストッパ３５に対して移動できないことから、ストッパ３５とコマ部材４０は一体に動作するようになっている。
【００２５】
図３（ｄ）の状態のストッパ３５を、ケース３１内に組み込んで、図２（ａ）に示すサブロック３０が得られる。このとき、ストッパ３５のバネ孔３５ｇに、ケース３１の箱体３３ａ底に取り付けられているコイルバネ５０が挿入され、ストッパ係合穴３６ａに係合している各爪部４２ａはケース係合穴３３ｄにも係合する。
図２（ａ）のサブロック３０は解錠状態であり、ストッパ３５は、２つの爪部４２ａがそれぞれ、ストッパ係合穴３６ａおよびケース係合穴３３ｄに係合していることから、右端面３５ｅが突出できないようになっている。
この状態で、コマ部材４０の当接部４１が右方に押されると、コイルバネ５１の付勢力に抗してコマ部材４０がストッパ３５の収納部３６内の所定の位置まで右に移動する。このとき、図４（ｂ）に示すように、収納部３６の２つの凸部３６ｂに各脚部４２が押されて内側に撓んで、各爪部４２ａは引っ込みケース係合穴３３ｄから外れるようになっている。これにより、ストッパ３５とコマ部材４０は、ケース３１に対して軸３５ｄ、３５ｄを中心に回動自在となる。したがって、何も外力がかからなければ、ストッパ３５は、コイルバネ５０の付勢力により右端部３５ｅが突出し、図２（ｂ）に示す施錠状態になるようになっている。しかし、逆方向に回動させる力がかかれば、つまり、ストッパ３５やコマ部材４０を後方に押す力が作用すると、コイルバネ５０に抗して、後方に回動するようになっている。ケース３１の右半分には開口を有するコ字枠３３ｂが形成されているので、ストッパ３５の右部３５ｉが後方に回動したとき、前記開口に入り込むことができるようになっている。
なお、図４（ｂ）に示すように、各脚部４２が撓んで爪部４２ａがケース係合穴３３ｄから外れるときも、爪部４２ａは、ストッパ３５のストッパ係合穴３６ａに対して、係合しているようになっている。つまり、２組のストッパ係合穴３６ａと爪部４２ａは常に係合している。
【００２６】
ところで、２つの爪部４２ａには、先端に行くほど薄くなるように後ろ側に傾斜面４２ｂが形成されている。また、爪部４２ａはストッパ係合穴３６ａに係合した状態で、さらに外側のケース係合穴３３ｄに係合することから、ケース係合穴３３ｄに対しては、爪部４２ａの薄くなった先端で係合することになる。
加えて、ストッパ３５がコイルバネ５０によって前方向に付勢されていることから、ストッパ３５内のコマ部材４０の爪部４２ａは、ケース係合穴３３ｄに対して、ケース係合穴３３ｄの前側に突き当てられるように係合する。したがって、ケース係合穴３３ｄに係合した状態の爪部４２ａ先端の後ろ側には、ケース係合穴３３ｄとの間にあそびがある。
解錠状態で内障子８を開けるとき、内障子８はコマ部材４０の当接部４１に当接するが、前記あそびの分だけコマ部材４０とストッパ３５はケース３１内に沈んで、内障子８の開放を妨げないようになっている。
【００２７】
サブロック３０は、ケース３１を、下框１２に設けられた取付穴などに固定し、前記差込口３３ｇが露出するように設置される。
【００２８】
上記のような開口部装置においては、開放状態の内障子８を閉める時に、サブロック３０は以下のように自動的に解錠状態から施錠状態になる。
内障子８を閉めるとき、内障子８は、図５（ａ）の矢印で示すように、左から右に摺動する。ほとんど閉まると、内障子８の召合せ框２４がサブロック３０の前に位置し、召合せ框２４の外障子７側の縁部２４ａが、ストッパ３５から突出している当接部４１に接近する。
そして、図５（ｂ）に示すように、さらに内障子８が閉まることで、縁部２４ａが当接部４１に当接し、これを右方に押す。コマ部材４０は、コイルバネ５１の付勢力に抗してストッパ３５内を右方に移動し、図４（ｂ）に示すように、脚部４２、４２が凸部３６ｂ、３６ｂにより押されて内側に撓み、爪部４２ａ、４２ａが引っ込んでケース係合穴３３ｄ、３３ｄから外れる。これにより、ストッパ３５のケース３１に対する係止が外れ、ストッパ３５とコマ部材４０はケース３１に対して回動可能となる。
さらに縁部２４ａは当接部４１を押すことから、図６（ａ）に示すように、コマ部材４０とともにストッパ３５は反時計方向に回動し、当接部４１は内障子８の開閉路から退く。
【００２９】
図６（ｂ）に示すように、内障子８がさらに閉まり召合せ框２４が当接部４１を通り過ぎようとすると、ストッパ３５はコイルバネ５０の付勢力により時計方向に回動し始める。
さらに内障子８が閉まれば、図７に示すように、召合せ框２４は完全に当接部４１から離れ、ストッパ３５は、その角部３５ｆがケース３１内の係止部３３ｆに係止されるまで回動し、右端面３５ｅが突出し施錠状態となる。同時に、コマ部材４０はコイルバネ５１の付勢力により左方に戻り、爪部４２ａは少し弾性復帰するが、ケース枠３２の内側に接した状態で止められる（図２（ｂ））。
この施錠状態で、外障子７や内障子８を開けようとしても、ストッパ３５の右端面３５ｅが内障子８の召合せ框２４にぶつかり、開けることはできない。
【００３０】
上記のように障子７，８が閉められ、施錠された開口部装置において、内障子８を開ける際、サブロック３０は以下のように解除され、動作する。
まず、図７の施錠状態で、ストッパ３５の操作面３５ｃを押してストッパ３５をコイルバネ５０に抗してケース３１に押し込むと、爪部４２ａは弾性復帰してケース係合穴３３ｄに係合し、図８（ａ）の解錠状態に戻る。そして、内障子８を矢印で示す左方向に開け始める。
まず、図８（ｂ）に示すように、内障子８の召合せ框２４が、当接部４１の右側部４１ａに当接する。さらに内障子８が開くと、図９（ａ）に示すように、召合せ框２４により当接部４１が後方に押される。コマ部材４０の各爪部４２ａが、前述のようにケース係合穴３３ｄに対して後方にあそびがある状態で係合しているので、そのあそびの分だけ、コマ部材４０と共にストッパ３５も反時計方向に回動し後方に退き、やがて、召合せ框２４が当接部４１から離れると（図９（ｂ））、ストッパ３５はコイルバネ５０の付勢力により元に戻る。
【００３１】
本実施の形態の開口部装置のサブロックは、上記のように自動的に施錠されることを特徴とするが、施錠が不要な場合には自動的に施錠されないように変更できる。
サブロック３０は、付属品として、図１０から図１４に示すロック阻止部材（施錠阻止手段）４５を備えている。ロック阻止部材４５は、薄型の略直方体状に形成され、指が少し入る程度のくぼみ４５ｂを有し、縁部４５ｃに指をかけて取り扱いできるようになっている。
ロック阻止部材４５の先端には、ケース３１の箱体３３ａの差込口３３ｇに挿入可能で、かつ、ストッパ３５の回動を阻止するための阻止部４５ａが設けられている。ロック阻止部材４５は、阻止部４５ａを差込口３３ｇに挿入することで、サブロック３０に取り付けられるようになっている。
サブロック３０に取り付けられた状態のロック阻止部材４５は、ケース３１内の係止部３３ｆとストッパ３５の角部３５ｆとの間に入り込み、これによりケース３１から突出状態となるようなストッパ３５の時計方向への回動を阻止するようになっている。
【００３２】
ロック阻止部材４５を取り付けた場合、内障子８を閉める際、サブロック３０は以下のように動作する。
内障子８は、左から右に摺動しながら、ほとんど閉まると、図１０（ａ）に示すように、内障子８の召合せ框２４の縁部２４ａが、ストッパ３５から突出している当接部４１に接近する。
そして、図１０（ｂ）に示すように、さらに内障子８が閉まることで、縁部２４ａが当接部４１に当接し、これを右方に押す。これにより、コマ部材４０は、コイルバネ５１の付勢力に抗してストッパ３５内を右方に移動し、コマ部材４０の脚部４２、４２が内側に撓み、各爪部４２ａが引っ込んでケース係合穴３３ｄから外れ、これによりストッパ３５とコマ部材４０はケース３１に対して回動可能となる。
さらに縁部２４ａは当接部４１を押すことから、図１１（ａ）に示すように、コマ部材４０とともにストッパ３５は反時計方向に回動し、当接部４１は内障子８の開閉路から退く。
【００３３】
次に、図１１（ｂ）に示すように、内障子８がさらに閉まり召合せ框２４が当接部４１から離れる時、ストッパ３５はコイルバネ５０の付勢力により時計方向に回動するが、ロック阻止部材４５の阻止部４５ａに角部３５ｆが当接したところで、それ以上時計方向に回動できないまま、コマ部材４０はコイルバネ５１の付勢力により左方に戻り、２つの爪部４２ａは弾性復帰しケース係合穴３３ｄに係合する。
さらに内障子８が閉まれば、図１２に示すように、召合せ框２４は完全に当接部４１から離れる。ストッパ３５の右端面３５ｅは突出せず、サブロック３０は解錠された状態のままであるので、外障子７や内障子８を開けることができる。
【００３４】
逆に内障子８を開ける際、ロック阻止部材４５付きのサブロック３０は図８および図９と同様に動作する。
すなわち、サブロック３０は解錠状態であるので操作する必要はなく、図１３（ａ）に示すように、内障子８を矢印で示す左方向に開き始める。
次ぎに、図１３（ｂ）に示すように、内障子８の召合せ框２４が、当接部４１の右側部４１ａに当接する。さらに内障子８が開くと、図１４（ａ）に示すように、召合せ框２４により当接部４１が後方に押される。コマ部材４０と共にストッパ３５は、各爪部４２ａとケース係合穴３３ｄとのあそびの分だけ、反時計方向に回動する。やがて、召合せ框２４が当接部４１から離れ（図１４（ｂ））、ストッパ３５はコイルバネ５０の付勢力により元に戻る。
【００３５】
以上のように、本実施の形態の開口部装置においては、サブロック３０のストッパ３５には、障子が閉まることを検知する当接部４１と、ストッパ３５とケース３１の双方に係合してストッパ３５をケース３１に収容された状態に保持する爪部４２ａ、４２ａとを有するコマ部材４０が設けられ、さらに爪部４２ａのケース３１に対する係合を外すための凸部３６ｂ、３６ｂが設けられているので、当接部４１によって障子が閉まることが検知され、つまり当接部４１が内障子８によって所定方向に押されると、当接部４１と一体である爪部４２ａ、４２ａが所定位置まで移動し、凸部３６ｂ、３６ｂによって爪部４２ａ、４２ａのケース３１に対する係合が外され、ストッパ３５は、コイルバネ５０の付勢力により突出し施錠状態となる。したがって、障子を閉めただけで自動的に施錠され、優れた防犯性を有する。
加えて検知手段である当接部４１と収容保持手段である爪部４２ａ、４２ａとを一体に構成し、障子が閉まるときの力を利用して、検知するとともに爪部４２ａ、４２ａの係合を外し、施錠状態にしているので、自動施錠でありながら簡単な構造を有し安価なサブロック３０を有する開口部装置となる。
【００３６】
さらに、本実施の形態の開口部装置においては、サブロック３０は着脱自在なロック阻止部材４５を備えているので、居住者が施錠状態にしたくないとき、例えば開口部装置を開けてベランダや外に出るときなど、ロック阻止部材４５をケース３１に取り付けるだけで、不用意に施錠されることなどを防ぐことができる。なお、ロック阻止部材４５をケース３１に着脱自在とな状態とするために、下框１２に移動自在に取り付けられているものとしてもよい。
【００３７】
なお、本実施の形態では、サブロックを下框に設けたが、上框に設けてもよい。
加えて、本実施の形態では、開口部装置として引き違いサッシを挙げたが、本発明は、片引きサッシや両引きサッシや上げ下げ窓のような障子が枠体内を摺動することで開閉する構造を有する開口部装置に適用することができる。
なお、補助錠は、基本的には障子に設けられるが、例えば、片引きサッシや両引きサッシ等において、補助錠を移動する障子ではなく、枠体に対して移動しない固定部材に補助錠を設けるものとしてもよい。この場合も、補助錠の基本的にな構成は上記例と同様となり、例えば、引き違いサッシの２つの障子のうちの一方だけを開閉移動させた際に、動かさない他方の障子に補助錠を設けたのとほぼ同じ状態となる。
【図面の簡単な説明】
【００３８】
【図１】本発明に係る開口部装置の一例を示すもので、開口部装置の室内側からの正面図である。
【図２】同、開口部装置に設けられるサブロックを示す斜視図で、（ａ）は解錠状態を示す図、（ｂ）は施錠状態を示す図である。
【図３】同、サブロックの構成部品を示す斜視図で、（ａ）はケースを示す図、（ｂ）はストッパとコマ部材を示す図、（ｃ）は（ｂ）とは異なる角度から見たストッパとコマ部材を示す図、（ｄ）はストッパにコマ部材を組み込んだ状態を示す図である。
【図４】同、ストッパ内部のコマ部材の状態を示す横断面図であり、（ａ）はコイルバネによって左方に付勢された状態を示す図、（ｂ）はコイルバネに抗して右方に移動し脚部が撓んでいる状態を示す図である。
【図５】同、内障子が閉まる際のサブロックの動作を示す横断面図であり、（ａ）はサブロックに内障子が接近した状態を示す図、（ｂ）は召合せ框がコマ部材の当接部に当接した状態を示す図、
【図６】同、内障子が閉まる際のサブロックの動作を示す横断面図であり、（ａ）は召合せ框により前記当接部が押し込まれている状態を示す図、（ｂ）はストッパが突出し始めた状態を示す図である。
【図７】同、内障子が閉まる際のサブロックの動作を示す横断面図であり、施錠状態を示す図である。
【図８】同、内障子が開く際のサブロックの動作を示す横断面図であり、（ａ）は解錠状態のサブロックに内障子が接近した状態を示す図、（ｂ）は召合せ框がコマ部材の当接部に当接した状態を示す図である。
【図９】同、内障子が開く際のサブロックの動作を示す横断面図であり、（ｃ）は召合せ框により当接部が押し込まれている状態を示す図、（ｄ）は召合せ框が当接部から離れサブロックが元に戻った状態を示す図である。
【図１０】同、内障子が閉まるとき、ロック阻止部材が取り付けられたサブロックの動作を示す横断面図であり、（ａ）はサブロックに内障子が接近した状態を示す図、（ｂ）は召合せ框がコマ部材の当接部に当接した状態を示す図である。
【図１１】同、内障子が閉まるとき、ロック阻止部材が取り付けられたサブロックの動作を示す横断面図であり、（ａ）は召合せ框により当接部が押し込まれている状態を示す図、（ｂ）は召合せ框が当接部から離れストッパが元に戻った状態を示す図である。
【図１２】同、内障子が閉まるとき、ロック阻止部材が取り付けられたサブロックの動作を示す横断面図であり、内障子が閉まり解錠状態であることを示す図である。
【図１３】同、内障子が開くとき、ロック阻止部材が取り付けられたサブロックの動作を示す横断面図であり、（ａ）はサブロックに内障子が接近した状態を示す図、（ｂ）は召合せ框がコマ部材の当接部に当接した状態を示す図である。
【図１４】同、内障子が開くとき、ロック阻止部材が取り付けられたサブロックの動作を示す横断面図であり、（ａ）は召合せ框により当接部が押し込まれている状態を示す図、（ｂ）は召合せ框が当接部から離れサブロックが元に戻った状態を示す図である。
【図１５】従来の開口部装置に設けられるサブロックの一例を示す斜視図である。
【符号の説明】
【００３９】
７  外障子
８  内障子
２４  召合せ框
３０  サブロック
３１  ケース
３２  ケース枠
３３  ケース本体
３３ｄ  ケース係合穴
３３ｆ  係止部
３３ｇ  差込口
３５  ストッパ
３６ａ  ストッパ係合穴
３５ｆ  角部
４０  コマ部材
４１  当接部
４２  脚部
４２ａ  爪部
４２ｂ  傾斜面
４５  ロック阻止部材
４５ａ  阻止部
【図１】
2009074319.tif 000003
【図２】
2009074319.tif 000004
【図３】
2009074319.tif 000005
【図４】
2009074319.tif 000006
【図５】
2009074319.tif 000007
【図６】
2009074319.tif 000008
【図７】
2009074319.tif 000009
【図８】
2009074319.tif 000010
【図９】
2009074319.tif 000011
【図１０】
2009074319.tif 000012
【図１１】
2009074319.tif 000013
【図１２】
2009074319.tif 000014
【図１３】
2009074319.tif 000015
【図１４】
2009074319.tif 000016
【図１５】
2009074319.tif 000017